(57)【要約】【課題】本発明は、意図しない商品を購入してしまう不都合の発生を軽減することを課題とする。【解決手段】本発明によれば、購入履歴データを取得する履歴取得部１１と、購入対象の商品を指定する入力を受付ける受付部１２と、購入頻度又は購入回数が所定レベル以下の商品が指定された場合、警告を出力する出力部１３と、を有する商品指定システム１０が提供される。【選択図】図２
2018097478.tif 000002
【特許請求の範囲】
【請求項１】
購入履歴データを取得する履歴取得手段と、
購入対象の商品を指定する入力を受付ける受付手段と、
購入頻度又は購入回数が所定レベル以下の商品が指定された場合、警告を出力する出力手段と、
を有する商品指定システム。
【請求項２】
請求項１に記載の商品指定システムにおいて、
前記出力手段は、購入頻度又は購入回数が所定レベル以下の商品が指定された場合、選択対象の商品の中の購入頻度又は購入回数が前記所定レベルより上の商品を案内する商品指定システム。
【請求項３】
請求項１又は２に記載の商品指定システムにおいて、
購入履歴データに基づき、前記所定レベルを決定する決定手段をさらに有する商品指定システム。
【請求項４】
請求項３に記載の商品指定システムにおいて、
前記決定手段は、指定された商品と同種の商品の購入履歴データに基づき、前記所定レベルを決定する商品指定システム。
【請求項５】
請求項１から４のいずれか１項に記載の商品指定システムにおいて、
購入頻度又は購入回数が所定レベルより上の商品が指定された場合、前記指定に応じて商品の購入処理を行い、購入頻度又は購入回数が所定レベル以下の商品が指定された場合、前記指定の後の再度の前記指定に応じて商品の購入処理を行う購入処理手段をさらに有する商品指定システム。
【請求項６】
請求項１から５のいずれか１項に記載の商品指定システムにおいて、
前記商品指定システムは、商品を販売する自動販売機であり、
自機、及び、他の自動販売機が販売する商品のリストを取得する取得手段をさらに有し、
前記出力手段は、購入頻度又は購入回数が前記所定レベルより上の商品を自機が販売していない又は当該商品の在庫が自機にない場合、購入頻度又は購入回数が前記所定レベルより上の商品を販売している他の自動販売機を紹介する案内情報を出力する商品指定システム。
【請求項７】
請求項６に記載の商品指定システムにおいて、
前記取得手段は、他の自動販売機の在庫情報を取得し、
前記出力手段は、購入頻度又は購入回数が前記所定レベルより上の商品を自機が販売していない又は当該商品の在庫が自機にない場合、購入頻度又は購入回数が前記所定レベルより上の商品を販売しており、かつ、在庫がある他の自動販売機を紹介する前記案内情報を出力する商品指定システム。
【請求項８】
購入履歴データを取得する履歴取得手段と、
購入対象の商品を指定する入力を受付ける受付手段と、
自機、及び、他の自動販売機が販売する商品のリストを取得する取得手段と、
購入頻度又は購入回数が所定レベルより上の商品を自機が販売していない又は当該商品の在庫が自機にない場合、購入頻度又は購入回数が前記所定レベルより上の商品を販売している他の自動販売機を紹介する案内情報を出力する出力手段と、
を有する自動販売機。
【請求項９】
請求項８に記載の自動販売機において、
前記取得手段は、他の自動販売機の在庫情報を取得し、
前記出力手段は、購入頻度又は購入回数が前記所定レベルより上の商品を自機が販売していない又は当該商品の在庫が自機にない場合、購入頻度又は購入回数が前記所定レベルより上の商品を販売しており、かつ、在庫がある他の自動販売機を紹介する前記案内情報を出力する自動販売機。
【請求項１０】
コンピュータが、
購入履歴データを取得する履歴取得工程と、
購入対象の商品を指定する入力を受付ける受付工程と、
購入頻度又は購入回数が所定レベル以下の商品が指定された場合、警告を出力する出力工程と、
を実行する処理方法。
【請求項１１】
コンピュータを、
購入履歴データを取得する履歴取得手段、
購入対象の商品を指定する入力を受付ける受付手段、
購入頻度又は購入回数が所定レベル以下の商品が指定された場合、警告を出力する出力手段、
として機能させるプログラム。
【請求項１２】
自動販売機で実行されるコンピュータが、
購入履歴データを取得する履歴取得工程と、
購入対象の商品を指定する入力を受付ける受付工程と、
自機、及び、他の自動販売機が販売する商品のリストを取得する取得工程と、
購入頻度又は購入回数が所定レベルより上の商品を自機が販売していない又は当該商品の在庫が自機にない場合、購入頻度又は購入回数が前記所定レベルより上の商品を販売している他の自動販売機を紹介する案内情報を出力する出力工程と、
を実行する処理方法。
【請求項１３】
自動販売機で実行されるコンピュータを、
購入履歴データを取得する履歴取得手段、
購入対象の商品を指定する入力を受付ける受付手段、
自機、及び、他の自動販売機が販売する商品のリストを取得する取得手段、
購入頻度又は購入回数が所定レベルより上の商品を自機が販売していない又は当該商品の在庫が自機にない場合、購入頻度又は購入回数が前記所定レベルより上の商品を販売している他の自動販売機を紹介する案内情報を出力する出力手段、
として機能させるプログラム。
【発明の詳細な説明】
【技術分野】
【０００１】
本発明は、商品指定システム、自動販売機、処理方法及びプログラムに関する。
【背景技術】
【０００２】
特許文献１には、購入履歴のある商品を他の商品と識別できるように表示する自動販売機が開示されている。
【０００３】
特許文献２には、ある自動販売機で商品の売り切れや釣銭不足が発生した時に、他の自動販売機に該当商品や釣銭がある場合はその旨の案内表示を行う自動販売機が開示されている。
【先行技術文献】
【特許文献】
【０００４】
【特許文献１】特開２００２−２０３２７４号公報
【特許文献２】特開平９−２０４５６１号公報
【発明の概要】
【発明が解決しようとする課題】
【０００５】
同じ商品を繰り返し購入するリピータが多く存在する。特許文献１に開示の技術のように、購入履歴のある商品を他の商品と識別できるように表示することで、誤って他の商品を選択する不都合を軽減できる。しかし、このような表示を行った場合でも、誤って他の商品を選択する不都合が発生し得る。特許文献１に開示の技術は、当該不都合が発生した場合の解決手段を開示していない。
【０００６】
本発明は、意図しない商品を購入してしまう不都合の発生を軽減することを課題とする。
【課題を解決するための手段】
【０００７】
本発明によれば、
購入履歴データを取得する履歴取得手段と、
購入対象の商品を指定する入力を受付ける受付手段と、
購入頻度又は購入回数が所定レベル以下の商品が指定された場合、警告を出力する出力手段と、
を有する商品指定システムが提供される。
【０００８】
また、本発明によれば、
購入履歴データを取得する履歴取得手段と、
購入対象の商品を指定する入力を受付ける受付手段と、
自機、及び、他の自動販売機が販売する商品のリストを取得する取得手段と、
購入頻度又は購入回数が所定レベルより上の商品を自機が販売していない又は当該商品の在庫が自機にない場合、購入頻度又は購入回数が前記所定レベルより上の商品を販売している他の自動販売機を紹介する案内情報を出力する出力手段と、
を有する自動販売機が提供される。
【０００９】
また、本発明によれば、
コンピュータが、
購入履歴データを取得する履歴取得工程と、
購入対象の商品を指定する入力を受付ける受付工程と、
購入頻度又は購入回数が所定レベル以下の商品が指定された場合、警告を出力する出力工程と、
を実行する処理方法が提供される。
【００１０】
また、本発明によれば、
コンピュータを、
購入履歴データを取得する履歴取得手段、
購入対象の商品を指定する入力を受付ける受付手段、
購入頻度又は購入回数が所定レベル以下の商品が指定された場合、警告を出力する出力手段、
として機能させるプログラムが提供される。
【００１１】
また、本発明によれば、
自動販売機で実行されるコンピュータが、
購入履歴データを取得する履歴取得工程と、
購入対象の商品を指定する入力を受付ける受付工程と、
自機、及び、他の自動販売機が販売する商品のリストを取得する取得工程と、
購入頻度又は購入回数が所定レベルより上の商品を自機が販売していない又は当該商品の在庫が自機にない場合、購入頻度又は購入回数が前記所定レベルより上の商品を販売している他の自動販売機を紹介する案内情報を出力する出力工程と、
を実行する処理方法が提供される。
【００１２】
また、本発明によれば、
自動販売機で実行されるコンピュータを、
購入履歴データを取得する履歴取得手段、
購入対象の商品を指定する入力を受付ける受付手段、
自機、及び、他の自動販売機が販売する商品のリストを取得する取得手段、
購入頻度又は購入回数が所定レベルより上の商品を自機が販売していない又は当該商品の在庫が自機にない場合、購入頻度又は購入回数が前記所定レベルより上の商品を販売している他の自動販売機を紹介する案内情報を出力する出力手段、
として機能させるプログラムが提供される。
【発明の効果】
【００１３】
本発明によれば、意図しない商品を購入してしまう不都合の発生を軽減できる。
【図面の簡単な説明】
【００１４】
【図１】本実施形態の装置のハードウエア構成の一例を概念的に示す図である。
【図２】本実施形態の商品選択システムの機能ブロック図の一例である。
【図３】本実施形態の購入履歴データの一例を模式的に示す図である。
【図４】本実施形態の商品選択システムの処理の流れの一例を示すフローチャートである。
【図５】本実施形態の商品選択システムの機能ブロック図の一例である。
【図６】本実施形態の商品選択システムの処理の流れの一例を示すフローチャートである。
【図７】本実施形態の商品選択システムの機能ブロック図の一例である。
【発明を実施するための形態】
【００１５】
＜第１の実施形態＞
まず、本実施形態の概要を説明する。本実施形態の商品指定システムは、自動販売機である。商品指定システムは、顧客の購入履歴データを取得する。そして、購入頻度又は購入回数が所定レベル以下の商品が購入対象として指定された場合、警告を出力し、再度、商品指定操作を受付けることができる。
【００１６】
このような本実施形態の商品指定システムによれば、いつも購入する商品と異なる商品を誤って指定する操作を受付けた場合、その操作に応じてその商品の提供を行うのでなく、警告を出力し、再度、商品指定操作を受付けることができる。結果、いつも購入する商品と異なる商品を誤って指定した場合の不都合を軽減できる。
【００１７】
次に、本実施形態の商品指定システムのハードウエア構成の一例について説明する。本実施形態の商品指定システムが備える各機能部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１８】
図１は、本実施形態の商品指定システムのハードウエア構成を例示するブロック図である。図１に示すように、商品指定システムは、プロセッサ１Ａ、メモリ２Ａ、入出力インターフェイス３Ａ、周辺回路４Ａ、バス５Ａを有する。周辺回路４Ａには、様々なモジュールが含まれる。
【００１９】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク、物理キー、タッチパネルディスプレイ等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２０】
その他、図示しないが、商品を収納する収納室、収納室から商品を取り出す動作を行う取出機構、プロセッサ１Ａからの信号に応じて取出機構の動作を制御する取出制御部、商品を指定する操作を受付ける受付ユニット（例：タッチパネルディスプレイ、物理ボタン等）、電子カードと接触及び／又は非接触で無線通信する通信部、現金の入力を受付ける受入ユニット等を有してもよい。
【００２１】
次に、本実施形態の商品指定システムの機能について詳細に説明する。図２に、本実施形態の商品指定システム１０の機能ブロック図の一例を示す。図示するように、商品指定システム１０は、履歴取得部１１と、受付部１２と、出力部１３と、購入処理部１５とを有する。図７に、本実施形態の商品指定システム１０の機能ブロック図の他の一例を示す。商品指定システム１０は、さらに決定部１６を有してもよい。上述の通り、本実施形態の商品指定システム１０は、自動販売機である。
【００２２】
履歴取得部１１は、購入履歴データを取得する。本実施形態の場合、履歴取得部１１は、電子カード（例：ＩＣカード）や携帯端末装置（例：携帯電話、スマートフォン）と通信し、これらに記録されている情報を取得する通信装置を有する。通信装置は、例えば、接触型又は非接触型のリーダライタである。
【００２３】
履歴取得部１１は、当該通信装置を介して、電子カードや携帯端末装置に記録されている顧客情報を取得する。顧客情報の中には、顧客識別情報が含まれる。顧客識別情報は、例えば顧客に割り振られた通番であってもよいし、個人情報（例：名称、年齢、生年月日、性別等）であってもよいし、その他であってもよい。
【００２４】
また、顧客情報の中に、購入履歴データが含まれてもよい。購入履歴データは、図３に示すように、購入日時と購入商品の識別情報とを対応付けたデータである。
【００２５】
なお、顧客情報の中には購入履歴データが含まれていなくてもよい。かかる場合、商品指定システム１０と通信可能に構成されたサーバが、顧客識別情報に対応付けて購入履歴データを管理していてもよい。そして、履歴取得部１１は、通信装置を介して顧客情報を取得すると、それに含まれる顧客識別情報に対応する購入履歴データをサーバに要求し、サーバから取得してもよい。
【００２６】
受付部１２は、購入対象の商品を指定する入力を受付ける。受付部１２は、物理ボタンやタッチパネルディスプレイ等の入力装置を介して、上記入力を受付けることができる。
【００２７】
例えば、複数の商品各々の見本が陳列され、各々に対応する物理ボタンが存在してもよい。そして、受付部１２は、物理ボタンを押下する操作により、購入対象の商品を指定する入力を受付けてもよい。
【００２８】
その他、タッチパネルディスプレイに、複数の商品各々の画像や各々を示す文字情報等が表示されてもよい。そして、受付部１２は、タッチパネルディスプレイ上の各商品に対応する位置をタッチする操作により、購入対象の商品を指定する入力を受付けてもよい。
【００２９】
購入処理部１５は、商品の購入処理を行う。購入処理部１５は、購入頻度又は購入回数が所定レベルより大の商品が指定された場合、商品の購入処理を行う。購入処理は、取出機構の動作を制御して、指定された商品を商品取り出し口に送り出す処理や、決済処理等を含む。
【００３０】
なお、購入頻度又は購入回数が所定レベル以下の商品が指定された場合、購入処理部１５は、所定の条件を満たす場合、商品の購入処理を行う。すなわち、所定の条件を満たさない場合、購入処理部１５は、商品の購入処理を行わない。当該処理は後述する。
【００３１】
出力部１３は、購入頻度又は購入回数が所定レベル以下の商品が指定された場合、警告を出力する。
【００３２】
商品指定システム１０は、履歴取得部１１が取得した購入履歴データに基づき、指定された商品の購入頻度（例：１週間の平均購入回数、１カ月の平均購入回数等）又は購入回数（例：購入履歴データの最初からの積算値、直近の所定期間内の積算値等）が所定レベル以下か否かを判断する。そして、出力部１３及び購入処理部１５は、当該判断結果に応じた処理を行う。
【００３３】
上記所定レベルは、予め定められていてもよい。例えば、購入回数「０」が定められていてもよい。かかる場合、１度も購入履歴がない商品（例：購入履歴データにおいて購入履歴が１度もない商品、直近の所定期間内に購入履歴が１度もない商品等）の指定操作に応じて、警告が出力される。そして、少なくとも１度、購入履歴がある商品（例：購入履歴データにおいて購入履歴が少なくとも１度ある商品、直近の所定期間内に購入履歴が少なくとも１度ある商品等）の指定操作に応じて、購入処理が行われる。
【００３４】
その他、図７に示す決定部１６は、購入履歴データに基づき、上記所定レベルを決定してもよい。かかる場合、決定部１６は、指定された商品と同種の商品の購入履歴データに基づき、所定レベルを決定してもよい。例えば、決定部１６は、購入回数が最も多い商品の購入回数に所定の係数（０より大１より小）を掛けた値を、上記所定レベルとしてもよい。
【００３５】
同種の商品とみなすグループ分けの仕方は設計的事項である。誤って指定される可能性がある商品群を同種の商品とするのが好ましい。例えば、商品が飲料である場合、コーヒー、スポーツドリンク、お茶、水等、その種類でグループ分けしてもよい。また、商品がタバコである場合、同じメーカのものを同種商品としてもよいし、外観が似ている（例：パッケージの色が似ている等）ものを同種商品としてもよい。
【００３６】
出力部１３は、ディスプレイ、スピーカ、警告ランプ等の出力装置を介して、警告を出力することができる。例えば、出力部１３は、ディスプレイやスピーカを介して、「いつもと異なる商品を指定していますが、良いですか？」等の趣旨の情報を出力してもよい。さらに、出力部１３は、併せて、警告ランプを点灯させてもよい。
【００３７】
また、出力部１３は、購入頻度又は購入回数が所定レベル以下の商品が指定された場合、上記警告に加えて、選択対象の複数の商品の中の購入頻度又は購入回数が所定レベルより上の商品の案内を行ってもよい。選択対象の複数の商品は、自機で販売している複数の商品であってもよいし、自機で販売している複数の商品の中の在庫がある商品であってもよい。
【００３８】
上記案内を行う場合、出力部１３は、指定された商品と同種の商品であって、かつ、購入頻度又は購入回数が所定レベルより上の商品の案内を行ってもよい。同種商品の概念は、上述の通りである。出力部１３は、購入履歴データに基づき、案内する商品を特定できる。
【００３９】
出力部１３は、ディスプレイ、スピーカ、各商品に対応して備えられたランプ等の出力装置を介して、上記案内を出力することができる。例えば、出力部１３は、案内する商品に対応するランプのみを点灯させ、「いつもこちらを購入しているようです。」等の趣旨の情報をディスプレイやスピーカを介して出力してもよい。
【００４０】
また、出力部１３は、複数の商品各々の画像や文字情報等を表示して指定操作を受付けるタッチパネルディスプレイにおいて、案内する商品のみを強調表示し、「いつもこちらを購入しているようです。」等の趣旨の情報をタッチパネルディスプレイやスピーカを介して出力してもよい。
【００４１】
上述の通り、購入処理部１５は、購入頻度又は購入回数が所定レベル以下の商品が指定された場合、当該指定操作に応じた商品の購入処理を行わない。かかる場合、受付部１２は、再度、購入対象の商品を指定する入力を受付けることができる。
【００４２】
この再度の指定において、再度、前回操作と同じ商品が指定された場合、購入処理部１５、当該指定操作に応じて商品の購入処理を行うことができる。
【００４３】
一方、再度の指定おいて、前回操作と異なる商品が指定された場合、商品指定システム１０は、同様にして、その商品の購入頻度又は購入回数が所定レベル以下か否かを判断する。そして、出力部１３及び購入処理部１５は、当該判断結果に応じた処理を行う。
【００４４】
ここで、図４のフローチャートを用いて、本実施形態の商品指定システム（自動販売機）１０の処理の流れの一例を説明する。
【００４５】
Ｓ１０では、履歴取得部１１は、顧客の購入履歴データを取得する。また、商品指定システム１０は、金銭を取得する。金銭の取得及び購入履歴データの取得の前後関係は、特段制限されない。
【００４６】
Ｓ１０では、顧客は、自身が保持する電子カードや携帯端末と、商品指定システム１０とを通信させる操作を行う。例えば、商品指定システム１０の所定位置に、電子カードや携帯端末をかざしたり、接触させたりする動作等を行う。これに応じて、商品指定システム１０は、電子カードや携帯端末に記録されていた顧客情報を取得する。
【００４７】
当該顧客情報の中に、購入履歴データが含まれていてもよい。そして、履歴取得部１１は、当該購入履歴データを取得してもよい。その他、履歴取得部１１は、購入履歴データを管理するサーバに、購入履歴データに含まれる顧客識別情報を送信し、当該顧客識別情報に対応する購入履歴データをサーバから取得してもよい。
【００４８】
また、Ｓ１０では、顧客は、金銭投入口から金銭を投入する。
【００４９】
Ｓ１１では、受付部１２は、購入対象の商品を指定する入力を受付ける。例えば、受付部１２は、物理ボタンやタッチパネルディスプレイ等の入力装置を介して、販売している複数の商品の中のいずれかを指定する入力を受付ける。
【００５０】
Ｓ１２では、商品指定システム１０は、購入頻度又は購入回数が所定レベル以下の商品が指定されたか否かを判断する。
【００５１】
所定レベルより大である場合（Ｓ１２のＹｅｓ）、購入処理部１５は、Ｓ１１の指定操作に応じて商品の購入処理を行う（Ｓ１３）。商品指定システム１０は、その後、購入履歴データを更新する処理を行ってもよい。商品指定システム１０は、購入日時及び購入商品を顧客識別情報に対応付けて、サーバに送信してもよい。そして、サーバが、管理する購入履歴データを更新してもよい。その他、商品指定システム１０は、電子カードや携帯端末と、商品指定システム１０とを通信させる案内を、出力装置を介して出力してもよい。そして、当該通信時に、電子カードや携帯端末に登録されている購入履歴データを更新してもよい。
【００５２】
一方、所定レベル以下である場合（Ｓ１２のＮｏ）、出力部１３は、警告を出力する（Ｓ１４）。出力部１３は、Ｓ１４において、警告に加えて、選択対象の商品の中の購入頻度又は購入回数が所定レベルより上の商品の案内を行ってもよい。また、再度の商品指定操作を促す案内を出力してもよい。
【００５３】
Ｓ１４の警告の後、受付部１２は、商品を指定する入力待ち状態となる。そして、受付部１２は、いずれかの商品を指定する入力を受付ける（Ｓ１５）。
【００５４】
ここで指定された商品が先に指定された商品と同じ商品である場合（Ｓ１６のＹｅｓ）、購入処理部１５は、Ｓ１５の指定操作に応じて商品の購入処理を行う（Ｓ１３）。商品指定システム１０は、その後、購入履歴データを更新する処理を行ってもよい。
【００５５】
一方、ここで指定された商品が先に指定された商品と異なる商品である場合（Ｓ１６のＮｏ）、Ｓ１２に戻って同様の処理を繰り返す。
【００５６】
以上、説明した本実施形態の商品指定システム１０によれば、いつも購入する商品と異なる商品（購入頻度又は購入回数が所定レベル以下の商品）の指定を受付けた場合、それに応じて購入処理を行うのでなく、警告を出力し、再度、商品指定操作を受付けることができる。結果、いつも購入する商品と異なる商品を誤って指定した場合の不都合を軽減できる。
【００５７】
また、再度の商品指定操作で同じ商品が指定された場合には、その商品の購入処理を行うことができる。このため、顧客は、いつも購入する商品と異なる商品を購入することができる。
【００５８】
また、本実施形態の商品指定システム１０は、警告に加えて、いつも購入する商品（購入頻度又は購入回数が所定レベルより大の商品）の案内を行うことができる。このため、再度の商品指定操作での指定ミスを軽減することができる。また、当該案内においては、指定された商品と同種の商品の中で、いつも購入する商品（購入頻度又は購入回数が所定レベルより大の商品）の案内を行うことができる。このため、無駄に多くの商品を案内し、指定ミスを誘発する不都合を軽減できる。
【００５９】
また、本実施形態の商品指定システム１０は、上記所定レベルを、購入履歴データ、より好ましくは指定された商品と同種の商品の購入履歴データに基づき決定することができる。
【００６０】
上記所定レベルを、例えば、「購入回数：０」と設定することで、購入履歴のない商品が指定された場合に、警告を出力できる。これにより上記不都合を軽減できるが、新しい商品を購入する都度、警告を出力されると、煩わしく感じる者もいる。そこで、顧客がある商品を特に好んでいるという傾向がある場合に、その商品以外を指定した場合に警告できるようにするのが好ましい。上記所定レベルを購入履歴データ、より好ましくは指定された商品と同種の商品の購入履歴データに基づき決定することで、当該好ましい機能を実現できる。
【００６１】
＜第２の実施形態＞
まず、本実施形態の概要を説明する。本実施形態の商品指定システム１０は、第１の実施形態同様、自動販売機である。本実施形態の商品指定システム１０は、購入頻度又は購入回数が所定レベルより上の商品を自機が販売していない又は当該商品の在庫が自機にない場合、購入頻度又は購入回数が所定レベルより上の商品を販売している自動販売機を紹介する案内情報を出力する。このような本実施形態の商品指定システム１０によれば、顧客は、効率的に、欲する商品を購入することができる。なお、本実施形態の商品指定システム１０は、第１の実施形態の機能を備えてもよい。
【００６２】
本実施形態の商品指定システム１０のハードウエア構成は、第１の実施形態と同様である。
【００６３】
次に、本実施形態の商品指定システム１０の機能について詳細に説明する。図２に、本実施形態の商品指定システム１０の機能ブロック図の一例を示す。図示するように、商品指定システム１０は、履歴取得部１１と、受付部１２と、出力部１３、取得部１４と、購入処理部１５とを有する。さらに、決定部１６を有してもよい。上述の通り、本実施形態の商品指定システム１０は、自動販売機である。
【００６４】
履歴取得部１１、受付部１２、購入処理部１５及び決定部１６の機能は、第１の実施形態と同様である。
【００６５】
取得部１４は、自機、及び、近隣の他の自動販売機が販売する商品のリストを取得する。例えば、商品指定システム１０は、近隣の所定の他の自動販売機と通信可能に構成されてもよい。そして、取得部１４は、近隣の他の自動販売機から、近隣の他の自動販売機の商品リストを取得してもよい。その他、サーバが、複数の自動販売機各々の商品リストを管理していてもよい。そして、取得部１４は、サーバから、近隣の他の自動販売機の商品リストを取得してもよい。
【００６６】
ある自動販売機に対応して、１つ又は複数の「近隣の他の自動販売機」が予め定められていてもよい。そして、各自動販売機は、予め定められた近隣の他の自動販売機の商品リストを取得してもよい。例えば、所定値未満の距離以内に存在する自動販売機を、近隣の他の自動販売機としてもよい。各商品指定システム１０又はサーバが、当該対応情報を保持しておいてもよい。そして、当該対応情報に基づき、所定の自動販売機（商品指定システム１０）が、予め定められた近隣の他の自動販売機の情報を取得するようにしてもよい。
【００６７】
また、取得部１４は、近隣の他の自動販売機の在庫情報（例：各商品の在庫数、各商品の在庫の有無等）を取得してもよい。取得部１４は、近隣の他の自動販売機から在庫情報を取得してもよいし、サーバから在庫情報を取得してもよい。サーバから取得する場合、複数の自動販売機は、所定のタイミング（例：定期的、在庫数が変動する都度、ある商品の在庫がなくなる都度）で在庫情報をサーバに通知する。そして、サーバは、通知内容に基づき、複数の自動販売機の在庫情報を管理する。
【００６８】
出力部１３は、購入頻度又は購入回数が所定レベルより上の商品を自機が販売していない又は当該商品の在庫が自機にない場合、購入頻度又は購入回数が所定レベルより上の商品を販売している自動販売機を紹介する案内情報を出力する。なお、出力部１３は、購入頻度又は購入回数が所定レベルより上の商品を自機が販売していない又は当該商品の在庫が自機にない場合、購入頻度又は購入回数が所定レベルより上の商品を販売しており、かつ、在庫がある自動販売機を紹介する案内情報を出力してもよい。
【００６９】
出力部１３は、履歴取得部１１による購入履歴データの取得に応じて、受付部１２が購入対象の商品の指定を受付ける前に、案内情報を出力してもよい。この場合、所定レベルは予め定められた固定値とすることができる。
【００７０】
その他、出力部１３は、購入頻度又は購入回数が所定レベル以下の商品が指定された場合に、その後に案内情報を出力してもよい。この場合、所定レベルは予め定められた固定値であってもよいし、第１の実施形態同様、購入履歴データ、好ましくは指定された商品と同種の商品の購入履歴データに基づき決定されてもよい。
【００７１】
また、購入頻度又は購入回数が所定レベル以下の商品が指定された場合に、その後に案内情報を出力する場合、出力部１３は、指定された商品と同種の商品であって、かつ、購入頻度又は購入回数が所定レベルより上の商品を販売している自動販売機（又は、さらに「その商品の在庫がある」を満たす自動販売機）を紹介する案内情報を出力してもよい。
【００７２】
案内情報は、案内する商品を識別する情報（例：商品名、外観画像等）、及び、案内する自動販売機の位置を示す情報を含む。例えば、案内する自動販売機の位置を特定した地図と共に、「商品○○はこちらの自動販売機で販売しています。」等の案内を、スピーカやディスプレイ等の出力装置を介して出力してもよい。また、商品指定システム１０は、任意の通信手段（例：接触又は非接触での無線通信）で、顧客の携帯電話に案内する自動販売機の位置を特定した地図データを送信してもよい。この場合、商品指定システム１０は、自装置と携帯電話とを通信させることで、他の自動販売機の位置を特定した地図データを取得できる案内を、スピーカやディスプレイ等の出力装置を介して出力してもよい。
【００７３】
なお、出力部１３は、第１の実施形態と同様の機能を有してもよい。
【００７４】
ここで、図６を用いて、本実施形態の実施例を説明する。本実施例では、商品指定システム１０は、たばこを販売する自動販売機である。顧客は、年齢確認を行うための電子カードを保持している。また、所定レベルを「０」の固定値とし、購入履歴のない商品を指定された場合に警告を出力したり、購入履歴のある商品を案内したりする。
【００７５】
Ｓ１０１では、商品指定システム１０は、購入履歴データ及び金銭を取得する。取得の順は特段制限されない。
【００７６】
例えば、顧客は、金銭投入口から金銭を投入する。また、顧客は、商品指定システム１０の所定位置に電子カードをかざす。これにより、商品指定システム１０は、電子カードに記録されている顧客情報を取得する。第１の実施形態で説明した通り、商品指定システム１０は、当該顧客情報に基づき、購入履歴データを取得する。商品指定システム１０は、当該顧客情報に基づき、年齢確認を行う。
【００７７】
年齢認証された場合、商品指定システム１０は、Ｓ１０２に進む。Ｓ１０２では、商品指定システム１０は、購入履歴のある商品が自機にあるか否かを判断する。購入履歴のある商品を自機が販売しており、かつ、在庫がある場合、商品があると判断する。その他の場合、ないと判断する。ある場合（Ｓ１０２のＹｅｓ）、Ｓ１０７に進む。ない場合（Ｓ１０２のＮｏ）、Ｓ１０３に進む。
【００７８】
Ｓ１０３では、商品指定システム１０は、近隣の他の自動販売機に購入履歴のある商品があるか否かを判断する。少なくとも１つの近隣の他の自動販売機が販売しており、かつ、在庫がある場合、商品指定システム１０は、近隣の他の自動販売機に購入履歴のある商品があると判断する。その他の場合、ないと判断する。ある場合（Ｓ１０３のＹｅｓ）、Ｓ１０４に進む。ない場合（Ｓ１０３のＮｏ）、Ｓ１０５に進む。なお、ない場合、商品指定システム１０は、自機及び近隣の他の自動販売機に購入履歴のある商品がない旨を通知してもよい。
【００７９】
Ｓ１０４では、商品指定システム１０は、購入履歴のある商品を自機が販売していない又は在庫がない旨を通知する。そして、商品指定システム１０は、購入履歴のある商品を販売しており、かつ、在庫がある近隣の他の自動販売機を案内する。なお、近隣の複数の他の自動販売機が購入履歴のある商品を販売しており、かつ、在庫がある場合、商品指定システム１０は、最も近い自動販売機を案内してもよいし、すべての自動販売機を案内してもよい。
【００８０】
Ｓ１０３及びＳ１０４に進んだ後、すなわち購入履歴のある商品を自機が販売していない場合においても、商品指定システム１０は、商品指定及び金銭の払い戻しの操作待ちとなる。
【００８１】
いずれかの商品が指定された場合（Ｓ１０５のＹｅｓ）、Ｓ１１０に進む。また、払い戻し処理が行われた場合（Ｓ１０６のＹｅｓ）、商品指定システム１０は、処理を終了する。払い戻し処理が行われた場合、例えば、顧客は他の自動販売機（例えば、Ｓ１０４で案内された自動販売機）に移動し、当該他の自動販売機でＳ１０１からの処理を開始することができる。
【００８２】
Ｓ１０７では、商品指定システム１０は、購入履歴のある商品を強調表示する。例えば、購入履歴のある商品を購入するための操作対象（例：物理ボタン）を点滅させたり、他と異なる色で点灯させたりする。
【００８３】
いずれかの商品が指定された場合（Ｓ１１４のＹｅｓ）、Ｓ１０８に進む。また、払い戻し処理が行われた場合（Ｓ１１５のＹｅｓ）、商品指定システム１０は、処理を終了する。
【００８４】
Ｓ１０８では、購入履歴のある商品が指定されたか判断する。購入履歴のある商品が指定された場合（Ｓ１０８のＹｅｓ）、商品指定システム１０は、購入処理を行った後（Ｓ１０９）、処理を終了する。
【００８５】
購入履歴のある商品が指定されなかった場合（Ｓ１０８のＮｏ）、商品指定システム１０は、アラームを出力する（Ｓ１１０）。そして、商品指定システム１０は、再度、商品指定及び払い戻しの操作待ちとなる。なお、商品指定システム１０は、再度の指定を促す案内を出力してもよい。
【００８６】
いずれかの商品が指定された場合（Ｓ１１１のＹｅｓ）、Ｓ１１２に進む。また、払い戻し処理が行われた場合（Ｓ１１３のＹｅｓ）、商品指定システム１０は、処理を終了する。
【００８７】
Ｓ１１２では、先と同じ商品が指定されたか判断する。同じ商品が指定された場合（Ｓ１１２のＹｅｓ）、商品指定システム１０は、当該商品の購入処理を行った後（Ｓ１０９）、処理を終了する。異なる商品が指定された場合（Ｓ１１２のＮｏ）、商品指定システム１０は、Ｓ１０８に戻って、同様の処理を繰り返す。
【００８８】
ここで、変形例を説明する。Ｓ１０１で取得した購入履歴データにおいて、購入履歴のある商品が複数登録されている場合が考えらえる。かかる場合、Ｓ１０２の分岐処理では、購入履歴のある複数の商品のすべてを自機が販売している場合に、Ｓ１０７に進んでもよい。そして、購入履歴のある複数の商品のすべてを自機が販売していない場合に、Ｓ１０３に進んでもよい。この場合、Ｓ１０３では、購入履歴のある複数の商品の各々に対応して近隣の自動販売機が販売しているか判断してもよい。そして、Ｓ１０４では、購入履歴のある複数の商品の各々に対応して、販売している自動販売機を通知してもよい。例えば、Ｓ１０４では、商品指定システム１０は、「商品Ａ及びＣは自動販売機Ａで販売しており、商品Ｂは自動販売機Ｂで販売しています。各自動販売機の位置は以下の地図を参照ください。」等のような情報を顧客に提示してもよい。
【００８９】
また、Ｓ１０２の分岐処理において、購入履歴のある複数の商品の一部を自機が販売しており、かつ、購入履歴のある複数の商品の他の一部を自機が販売していない場合には、商品指定システム１０は、次の処理を行ってもよい。
【００９０】
まず、商品指定システム１０は、購入履歴のある複数の商品の中の自機が販売している商品を、強調表示してもよい。例えば、当該商品を購入するための操作対象（例：物理ボタン）を点滅させたり、他と異なる色で点灯させたりする。これと同時に、商品指定システム１０は、購入履歴のある複数の商品の中の自機が販売していない商品各々に対応して、近隣の自動販売機が販売しているか判断してもよい。そして、購入履歴のある複数の商品の中の自機が販売していない商品各々に対応して、販売している自動販売機を通知してもよい。例えば、商品指定システム１０は、「商品Ａ及びＣは自動販売機Ａで販売しており、商品Ｂは自動販売機Ｂで販売しています。各自動販売機の位置は以下の地図を参照ください。」等のような情報を顧客に提示してもよい。その後は、Ｓ１１４に進む。
【００９１】
他の変形例を説明する、図６のフローはＳ１０１で金銭を取得する例を示すが、Ｓ１０１では購入履歴データのみを取得してもよい。そして、商品指定後、かつ、Ｓ１０９の購入処理の前に、金銭又は電子マネーを受付けるステップを有してもよい。当該ステップで金銭又は電子マネーを受付けると、Ｓ１０９の購入処理に進む。金銭又は電子マネーを受付けるステップにおいて、顧客は、例えば金銭投入口から金銭を投入する。または、顧客は、例えば商品指定システム１０の所定位置に、電子マネーに関する情報を記憶する電子カードをかざす。この例の場合、Ｓ１０６、Ｓ１１５及びＳ１１３では、払い戻しの操作を受付けたか否かを判断する処理に代えて、商品購入処理を取りやめる操作を受付けたか否かを判断してもよい。
【００９２】
以上説明した本実施形態によれば、商品指定システム１０は、購入頻度又は購入回数が所定レベルより上の商品を自機が販売していない又は当該商品の在庫が自機にない場合、購入頻度又は購入回数が所定レベルより上の商品を販売している自動販売機や、当該商品を販売しておりかつ在庫がある自動販売機を紹介する案内情報を出力することができる。
【００９３】
このような本実施形態の商品指定システム１０によれば、顧客は、効率的に、欲する商品を購入することができる。
【００９４】
また、本実施形態の商品指定システム１０は、第１の実施形態と同様の機能を有することができる。このため、本実施形態の商品指定システム１０によれば、第１の実施形態と同様の作用効果を実現できる。
【００９５】
＜第３の実施形態＞
まず、本実施形態の概要を説明する。本実施形態の商品指定システムは、店舗等で使用される会計装置（例：ＰＯＳ（point of sale）レジスター）である。本実施形態の商品指定システム１０は、第１の実施形態と同様の機能を有し、同様の作用効果を実現する。
【００９６】
次に、本実施形態の商品指定システムのハードウエア構成の一例について説明する。本実施形態の商品指定システムが備える各機能部は、任意のコンピュータのＣＰＵ、メモリ、メモリにロードされるプログラム、そのプログラムを格納するハードディスク等の記憶ユニット（あらかじめ装置を出荷する段階から格納されているプログラムのほか、ＣＤ等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００９７】
図１は、本実施形態の商品指定システムのハードウエア構成を例示するブロック図である。図１に示すように、商品指定システムは、プロセッサ１Ａ、メモリ２Ａ、入出力インターフェイス３Ａ、周辺回路４Ａ、バス５Ａを有する。周辺回路４Ａには、様々なモジュールが含まれる。当該図の説明は、第１の実施形態で説明したものと同様である。
【００９８】
次に、本実施形態の商品指定システムの機能について詳細に説明する。図２に、本実施形態の商品指定システム１０の機能ブロック図の一例を示す。図示するように、商品指定システム１０は、履歴取得部１１と、受付部１２と、出力部１３と、購入処理部１５とを有する。さらに、決定部１６を有してもよい。上述の通り、本実施形態の商品指定システム１０は、店舗等で使用される会計装置（例：ＰＯＳ（レジスター））である。
【００９９】
履歴取得部１１及び決定部１６の機能及び構成は、第１の実施形態と同様である。
【０１００】
受付部１２は、購入対象の商品を指定する入力を受付ける。受付部１２は、コードリーダ（例：バーコードリーダ）、タッチパネルディスプレイ、物理キー等の入力装置を介して、購入対象の商品を識別する商品識別情報の入力を受付ける。受付部１２は、当該商品識別情報で特定される商品を、購入対象の商品として受付ける。
【０１０１】
出力部１３は、購入頻度又は購入回数が所定レベル以下の商品が指定された場合、警告を出力する。出力部１３は、購入頻度又は購入回数が所定レベル以下の商品が指定された場合、選択対象の商品の中の購入頻度又は購入回数が所定レベルより上の商品を案内してもよい。出力部１３は、ディスプレイやスピーカを介して、警告や案内を出力できる。出力部１３は、受付部１２により購入頻度又は購入回数が所定レベル以下の商品を指定する入力が受付けられる都度、警告や案内を出力してもよい。
【０１０２】
購入処理部１５は、購入頻度又は購入回数が所定レベルより上の商品が指定された場合、警告を出力することなくそのまま商品の購入処理を行う。本実施形態における購入処理は、指定された商品を購入対象として登録する処理である。なお、購入頻度又は購入回数が所定レベル以下の商品が指定された場合、指定の後の再度の指定に応じて商品の購入処理を行ってもよい。
【０１０３】
なお、出力部１３は、上記警告に加えて、「当該商品の購入でよかったですか？Ｙｅｓ  ｏｒ  Ｎｏ」などの確認メッセージをディスプレイに出力してもよい。そして、受付部１２は、「Ｙｅｓ」の入力操作を上記再度の指定として受付けてもよい。
【０１０４】
出力部１３による上記機能の詳細は、第１の実施形態と同様である。
【０１０５】
本実施形態によれば、第１の実施形態と同様の作用効果を実現できる。
【０１０６】
＜第４の実施形態＞
まず、本実施形態の概要を説明する。本実施形態の商品指定システムは、インターネット上でのショッピングサービスを提供するサーバである。本実施形態の商品指定システム１０は、第１及び第３の実施形態と同様の機能を有し、同様の作用効果を実現する。
【０１０７】
次に、本実施形態の商品指定システムのハードウエア構成の一例について説明する。本実施形態の商品指定システムが備える各機能部は、任意のコンピュータのＣＰＵ、メモリ、メモリにロードされるプログラム、そのプログラムを格納するハードディスク等の記憶ユニット（あらかじめ装置を出荷する段階から格納されているプログラムのほか、ＣＤ等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【０１０８】
図１は、本実施形態の商品指定システムのハードウエア構成を例示するブロック図である。図１に示すように、商品指定システムは、プロセッサ１Ａ、メモリ２Ａ、入出力インターフェイス３Ａ、周辺回路４Ａ、バス５Ａを有する。周辺回路４Ａには、様々なモジュールが含まれる。当該図の説明は、第１の実施形態で説明したものと同様である。
【０１０９】
次に、本実施形態の商品指定システムの機能について詳細に説明する。図２に、本実施形態の商品指定システム１０の機能ブロック図の一例を示す。図示するように、商品指定システム１０は、履歴取得部１１と、受付部１２と、出力部１３と、購入処理部１５とを有する。さらに、決定部１６を有してもよい。決定部１６の構成は、第１の実施形態と同様である。上述の通り、本実施形態の商品指定システム１０は、インターネット上でのショッピングサービスを提供するサーバである。
【０１１０】
履歴取得部１１は、購入履歴データを取得する。商品選択システム１０は、複数の顧客各々に対応付けて、購入履歴データを管理しておく。また、商品選択システム１０は、顧客が操作する端末装置（例：パーソナルコンピュータ、タブレット端末、スマートフォン、携帯電話等）からログイン情報（識別情報、パスワード等）を取得し、認証処理を行う。そして、履歴取得部１１は、ログイン情報に含まれる識別情報に対応する購入履歴データを取得する。
【０１１１】
受付部１２は、購入対象の商品を指定する入力を受付ける。例えば、受付部１２は、顧客が操作する端末装置から指定された商品を示す情報を取得する。商品選択システム１０が提供するショッピングサービスでは、販売している複数の商品の中のいずれかを指定する入力を受付部１２が受付けると、当該商品を購入候補として登録する。登録された商品は、例えば、仮想のカートの中に格納される。そして、その後の精算処理を行う入力操作に応じて、精算処理が行われる。精算処理は、支払方法の指定、お届け先の指定、お届け日時の指定、購入商品及び個数の確認等の処理を含む。
【０１１２】
出力部１３は、購入頻度又は購入回数が所定レベル以下の商品が指定された場合、警告を出力する。出力部１３は、購入頻度又は購入回数が所定レベル以下の商品が指定された場合、選択対象の商品の中の購入頻度又は購入回数が所定レベルより上の商品を案内してもよい。出力部１３は、ディスプレイやスピーカを介して、警告や案内を出力できる。
【０１１３】
出力部１３は、販売している複数の商品の中のいずれかを指定する入力を受付部１２が受付けると、当該商品を購入候補として登録する前に（例：仮想のカートの中に格納する前に）、上記警告や案内を出力してもよい。または、支払方法の指定やお届け先の指定等を行う精算処理時の任意のタイミングで、上記警告や案内を出力してもよい。
【０１１４】
購入処理部１５は、購入頻度又は購入回数が所定レベルより上の商品が指定された場合、警告を出力することなくそのまま購入処理（例：購入候補としての登録又は精算処理等）を行い、購入頻度又は購入回数が所定レベル以下の商品が指定された場合、指定の後の再度の指定に応じて商品の購入処理を行ってもよい。
【０１１５】
なお、出力部１３は、「当該商品の購入でよかったですか？Ｙｅｓ ｏｒ  Ｎｏ」などの確認メッセージをディスプレイに出力してもよい。そして、受付部１２は、「Ｙｅｓ」の入力操作を上記再度の指定として受付けてもよい。
【０１１６】
出力部１３による上記機能の詳細は、第１の実施形態と同様である。
【０１１７】
本実施形態によれば、第１及び第３の実施形態と同様の作用効果を実現できる。
【０１１８】
以下、参考形態の例を付記する。
１．  購入履歴データを取得する履歴取得手段と、
購入対象の商品を指定する入力を受付ける受付手段と、
購入頻度又は購入回数が所定レベル以下の商品が指定された場合、警告を出力する出力手段と、
を有する商品指定システム。
２．  １に記載の商品指定システムにおいて、
前記出力手段は、購入頻度又は購入回数が所定レベル以下の商品が指定された場合、選択対象の商品の中の購入頻度又は購入回数が前記所定レベルより上の商品を案内する商品指定システム。
３．  １又は２に記載の商品指定システムにおいて、
購入履歴データに基づき、前記所定レベルを決定する決定手段をさらに有する商品指定システム。
４．  ３に記載の商品指定システムにおいて、
前記決定手段は、指定された商品と同種の商品の購入履歴データに基づき、前記所定レベルを決定する商品指定システム。
５．  １から４のいずれかに記載の商品指定システムにおいて、
購入頻度又は購入回数が所定レベルより上の商品が指定された場合、前記指定に応じて商品の購入処理を行い、購入頻度又は購入回数が所定レベル以下の商品が指定された場合、前記指定の後の再度の前記指定に応じて商品の購入処理を行う購入処理手段をさらに有する商品指定システム。
６．  １から５のいずれかに記載の商品指定システムにおいて、
前記商品指定システムは、商品を販売する自動販売機であり、
自機、及び、他の自動販売機が販売する商品のリストを取得する取得手段をさらに有し、
前記出力手段は、購入頻度又は購入回数が前記所定レベルより上の商品を自機が販売していない又は当該商品の在庫が自機にない場合、購入頻度又は購入回数が前記所定レベルより上の商品を販売している他の自動販売機を紹介する案内情報を出力する商品指定システム。
７．  ６に記載の商品指定システムにおいて、
前記取得手段は、他の自動販売機の在庫情報を取得し、
前記出力手段は、購入頻度又は購入回数が前記所定レベルより上の商品を自機が販売していない又は当該商品の在庫が自機にない場合、購入頻度又は購入回数が前記所定レベルより上の商品を販売しており、かつ、在庫がある他の自動販売機を紹介する前記案内情報を出力する商品指定システム。
８．  購入履歴データを取得する履歴取得手段と、
購入対象の商品を指定する入力を受付ける受付手段と、
自機、及び、他の自動販売機が販売する商品のリストを取得する取得手段と、
購入頻度又は購入回数が所定レベルより上の商品を自機が販売していない又は当該商品の在庫が自機にない場合、購入頻度又は購入回数が前記所定レベルより上の商品を販売している他の自動販売機を紹介する案内情報を出力する出力手段と、
を有する自動販売機。
９．  ８に記載の自動販売機において、
前記取得手段は、他の自動販売機の在庫情報を取得し、
前記出力手段は、購入頻度又は購入回数が所定レベルより上の商品を自機が販売していない又は当該商品の在庫が自機にない場合、購入頻度又は購入回数が前記所定レベルより上の商品を販売しており、かつ、在庫がある他の自動販売機を紹介する前記案内情報を出力する自動販売機。
１０．  コンピュータが、
購入履歴データを取得する履歴取得工程と、
購入対象の商品を指定する入力を受付ける受付工程と、
購入頻度又は購入回数が所定レベル以下の商品が指定された場合、警告を出力する出力工程と、
を実行する処理方法。
１１．  コンピュータを、
購入履歴データを取得する履歴取得手段、
購入対象の商品を指定する入力を受付ける受付手段、
購入頻度又は購入回数が所定レベル以下の商品が指定された場合、警告を出力する出力手段、
として機能させるプログラム。
１２．  自動販売機で実行されるコンピュータが、
購入履歴データを取得する履歴取得工程と、
購入対象の商品を指定する入力を受付ける受付工程と、
自機、及び、他の自動販売機が販売する商品のリストを取得する取得工程と、
購入頻度又は購入回数が所定レベルより上の商品を自機が販売していない又は当該商品の在庫が自機にない場合、購入頻度又は購入回数が前記所定レベルより上の商品を販売している他の自動販売機を紹介する案内情報を出力する出力工程と、
を実行する処理方法。
１３．  自動販売機で実行されるコンピュータを、
購入履歴データを取得する履歴取得手段、
購入対象の商品を指定する入力を受付ける受付手段、
自機、及び、他の自動販売機が販売する商品のリストを取得する取得手段、
購入頻度又は購入回数が所定レベルより上の商品を自機が販売していない又は当該商品の在庫が自機にない場合、購入頻度又は購入回数が前記所定レベルより上の商品を販売している他の自動販売機を紹介する案内情報を出力する出力手段、
として機能させるプログラム。
【符号の説明】
【０１１９】
１Ａ    プロセッサ
２Ａ    メモリ
３Ａ    入出力Ｉ／Ｆ
４Ａ    周辺回路
５Ａ    バス
１０    商品選択システム
１１    履歴取得部
１２    受付部
１３    出力部
１４    取得部
１５    購入処理部
１６    決定部
【図１】
2018097478.tif 000003
【図２】
2018097478.tif 000004
【図３】
2018097478.tif 000005
【図４】
2018097478.tif 000006
【図５】
2018097478.tif 000007
【図６】
2018097478.tif 000008
【図７】
2018097478.tif 000009